(57)【要約】【課題】発信後に発信側の通信端末と着信側の通信端末との間で通信能力が合わずに通信できないという事態の発生を防止し、意図した通信能力で、より効率的な通信を行う。【解決手段】各通信端末Ａ、Ｂは、音声通話を指定した呼を他通信端末に接続するとともに、能力交換を行うための能力交換セッションを他通信端末との間で確立する呼制御手段１４と、能力交換セッションを用いて自通信端末の通信能力を他通信端末に送信するとともに、他通信端末の通信能力を取得する能力交換手段１５と、取得した他通信端末の通信能力と自通信端末の通信能力とに基づいて、他通信端末との通信に使用可能な通信能力を決定する能力決定手段１１とを有し、呼制御手段１４は、能力決定手段１１が決定した使用可能な通信能力の少なくとも１つを指定して、他通信端末との間に接続された前記呼の通信能力を変更する。【選択図】図１
2010258802.tif 000002
【特許請求の範囲】
【請求項１】
複数の通信端末を有する通信システムであって、
各通信端末は、
音声通話を指定した呼を他通信端末に接続するとともに、能力交換を行うための能力交換セッションを他通信端末との間で確立する呼制御手段と、
前記能力交換セッションを用いて、自通信端末の通信能力を他通信端末に送信するとともに、他通信端末の通信能力を取得する能力交換手段と、
前記取得した他通信端末の通信能力と、自通信端末の通信能力とに基づいて、他通信端末との通信に使用可能な通信能力を決定する能力決定手段と、を有し、
前記呼制御手段は、前記能力決定手段が決定した前記使用可能な通信能力の少なくとも１つを指定して、他通信端末との間に接続された前記呼の通信能力を変更すること
を特徴とする通信システム。
【請求項２】
請求項１記載の通信システムであって、
前記呼制御手段は、ＳＩＰ（Session Initiation Protocol）を用いて前記呼の接続および前記呼の通信能力の変更を行い、
前記能力交換手段は、ＴＣＰ（Transmission Control Protocol）またはＵＤＰ（User Datagram Protocol）を用いて、能力交換を行うこと
を特徴とする通信システム。
【請求項３】
音声通話を指定した呼を他通信端末に接続するとともに、能力交換を行うための能力交換セッションを他通信端末との間で確立する呼制御手段と、
前記能力交換セッションを用いて、自通信端末の通信能力を他通信端末に送信するとともに、他通信端末の通信能力を取得する能力交換手段と、
前記取得した他通信端末の通信能力と、自通信端末の通信能力とに基づいて、他通信端末との通信に使用可能な通信能力を決定する能力決定手段と、を有し、
前記呼制御手段は、前記能力決定手段が決定した前記使用可能な通信能力の少なくとも１つを指定して、他通信端末との間に接続された前記呼の通信能力を変更すること
を特徴とする通信端末。
【請求項４】
請求項３記載の通信端末であって、
前記呼制御手段は、ＳＩＰ（Session Initiation Protocol）を用いて前記呼の接続および前記呼の通信能力の変更を行い、
前記能力交換手段は、ＴＣＰ（Transmission Control Protocol）またはＵＤＰ（User Datagram Protocol）を用いて、能力交換を行うこと
を特徴とする通信端末。
【請求項５】
通信端末間で通信を行う通信方法であって、
音声通話を指定した呼を他通信端末に接続する呼接続ステップと、
能力交換を行うための能力交換セッションを他通信端末との間で確立する能力交換セッション確立ステップと、
前記能力交換セッションを用いて、自通信端末の通信能力を他通信端末に送信するとともに、他通信端末の通信能力を取得する能力交換ステップと、
前記取得した他通信端末の通信能力と、自通信端末の通信能力とに基づいて、他通信端末との通信に使用可能な通信能力を決定する能力決定ステップと、
前記能力決定ステップで決定した前記使用可能な通信能力の少なくとも１つを指定して、前記呼接続ステップで接続された呼の通信能力を変更する変更ステップと、を行うこと
を特徴とする通信方法。
【請求項６】
請求項５記載の通信方法であって、
前記呼接続ステップおよび前記変更ステップは、ＳＩＰ（Session Initiation Protocol）を用いて前記呼の接続および前記呼の通信能力の変更を行い、
前記能力交換ステップは、ＴＣＰ（Transmission Control Protocol）またはＵＤＰ（User Datagram Protocol）を用いて能力交換を行うこと
を特徴とする通信方法。
【請求項７】
請求項５または請求項６記載の通信方法を、コンピュータに実行させる通信プログラム。
【発明の詳細な説明】
【技術分野】
【０００１】
本発明は、端末間で通信するための通信技術に関し、特に、能力交換を行う通信システム、通信端末、通信方法および通信プログラムに関する。
【背景技術】
【０００２】
テレビ電話などのマルチメディア通信（マルチメディアコミュニケーション）を行う際には、音声や映像のメディアの送受信を開始する前に、通話で利用する音声符号化方式や映像符号化方式などの通信パラメータを決定する必要がある。
【０００３】
従来、ＳＩＰ（Session Initiation Protocol）およびＳＤＰ（Session Description Protocol）を用いたマルチメディア通信システムにおいては、自端末と他端末のＥｎｄ−Ｅｎｄの端末間で、能力交換と呼ばれる手順を実施する必要がある。
【０００４】
なお、端末間での通信技術として、例えば特許文献１には、回線接続用のアウトチャネルを用いて発信側と着信側の通信路を接続する通信接続方法が記載されている。
【先行技術文献】
【特許文献】
【０００５】
【特許文献１】特開平０７−０５８８７４号
【発明の概要】
【発明が解決しようとする課題】
【０００６】
さて、ＮＧＮ（Next Generation Network）など情報通信技術の普及により、テレビ電話などのマルチメディア通信が可能な環境が整いつつある。しかしながら、現状では、マルチメディア通信に対応したマルチメディア通信端末が普及しておらず、音声電話機を利用した音声のみによる通信が中心となっている。
【０００７】
このような状況において、音声電話機に対し、テレビ電話機のようなマルチメディア通信端末から電話をかけた場合、互いの機器の通信能力が異なるため、発信側が意図しないメディア（例えば音声のみ）で通話が開始されてしまうという問題や、電話がつながらないという問題が発生する。
【０００８】
また、近年、複数の機器が連携することにより、１つの通信端末として動作する連携端末が登場している。例えば、音声電話機とＰＣ（Personal Computer）が連携することにより、音声電話機で音声通話しながらＰＣで映像送受信を行うことによりテレビ電話端末として動作する連携端末が登場している。このような連携端末では、連携する機器が保持している通信能力によって、実現できるコミュニケーションの種別・メディアが異なる。
【０００９】
そのため、通話相手の相手端末が保持している通信能力を把握する手段が必要となる。しかしながら、ＳＩＰおよびＳＤＰを用いた既存の通信端末では、呼接続の機能と相手端末の通信能力を取得する機能とが一緒になっているため、相手端末の能力だけを取得することができない。なお、ＳＩＰおよびＳＤＰには、ＯＰＴＩＯＮＳというメソッドがあるが、ＳＩＰサーバへの負荷が大きい。したがって、実際に相手端末に発信し、相手端末から応答（ＯＫまたはＮＧ）が帰ってくるまで、相手端末と通信可能であるかどうかが判明せず、発信端末側では発信する前に相手端末の通信能力を知ることができないため、実際に発呼してみなければ、通信可能か否かわからない。
【００１０】
また、連携端末では、通話中に連携対象となる機器が頻繁に変わることが想定される。連携する機器が変更されると、通話中に利用可能な通信能力が変更される可能性がある。この場合、既存のＳＩＰおよびＳＤＰでは、能力交換のメッセージを送信する必要があるが、このメッセージはＳＩＰサーバを経由するため、ＳＩＰサーバの負荷増大につながる。
【００１１】
本発明は上記事情に鑑みてなされたものであり、本発明の目的は、発信後に発信側の通信端末と着信側の通信端末との間で通信能力が合わずに通信できないという事態の発生を防止し、意図した通信能力で、より効率的な通信を行うことにある。
【課題を解決するための手段】
【００１２】
本発明は、複数の通信端末を有する通信システムであって、各通信端末は、音声通話を指定した呼を他通信端末に接続するとともに、能力交換を行うための能力交換セッションを他通信端末との間で確立する呼制御手段と、前記能力交換セッションを用いて、自通信端末の通信能力を他通信端末に送信するとともに、他通信端末の通信能力を取得する能力交換手段と、前記取得した他通信端末の通信能力と、自通信端末の通信能力とに基づいて、他通信端末との通信に使用可能な通信能力を決定する能力決定手段と、を有し、前記呼制御手段は、前記能力決定手段が決定した前記使用可能な通信能力の少なくとも１つを指定して、他通信端末との間に接続された前記呼の通信能力を変更する。
【００１３】
また、本発明は、通信端末であって、音声通話を指定した呼を他通信端末に接続するとともに、能力交換を行うための能力交換セッションを他通信端末との間で確立する呼制御手段と、前記能力交換セッションを用いて、自通信端末の通信能力を他通信端末に送信するとともに、他通信端末の通信能力を取得する能力交換手段と、前記取得した他通信端末の通信能力と、自通信端末の通信能力とに基づいて、他通信端末との通信に使用可能な通信能力を決定する能力決定手段と、を有し、前記呼制御手段は、前記能力決定手段が決定した前記使用可能な通信能力の少なくとも１つを指定して、他通信端末との間に接続された前記呼の通信能力を変更する。
【００１４】
また、本発明は、通信端末間で通信を行う通信方法であって、音声通話を指定した呼を他通信端末に接続する呼接続ステップと、能力交換を行うための能力交換セッションを他通信端末との間で確立する能力交換セッション確立ステップと、前記能力交換セッションを用いて、自通信端末の通信能力を他通信端末に送信するとともに、他通信端末の通信能力を取得する能力交換ステップと、前記取得した他通信端末の通信能力と、自通信端末の通信能力とに基づいて、他通信端末との通信に使用可能な通信能力を決定する能力決定ステップと、前記能力決定ステップで決定した前記使用可能な通信能力の少なくとも１つを指定して、前記呼接続ステップで接続された呼の通信能力を変更する変更ステップと、を行う。
【００１５】
また、本発明は、前記通信方法を、コンピュータに実行させる通信プログラムである。
【発明の効果】
【００１６】
本発明によれば、発信後に発信側の通信端末と着信側の通信端末との間で通信能力が合わずに通信できないという事態の発生を防止し、意図した通信能力で、より効率的な通信を行うことができる。
【図面の簡単な説明】
【００１７】
【図１】本発明の実施形態に係る通信システムの構成図である。
【図２】通信端末の具体例を示すものである。
【図３】本実施形態の動作を示すシーケンス図である。
【図４】図３に示す動作のプロトコルを説明するためのシーケンス図である。
【発明を実施するための形態】
【００１８】
以下、本発明の実施形態について説明する。
【００１９】
図１は、本発明の実施形態に係るシステムを示す図である。本実施形態では、Ｅｎｄ−Ｅｎｄの通信端末間で通信を行う。図示する例では、通信端末Ａと通信端末Ｂとが、図示しないネットワークを介して通信するものとする。通信端末Ａ、Ｂは、相手端末に発信するとともに、相手端末からの発信に対して着信可能な端末である。
【００２０】
図示する通信端末Ａ、Ｂは、能力決定部１１と、自端末能力管理部１２と、相手端末能力管理部１３と、呼制御部１４と、能力交換部１５と、メディア処理部１６とを有する。
【００２１】
能力決定部１１は、相手通信端末の通信能力と、自通信端末の通信能力とを比較し、音声による通話中に相手通信端末との間で使用可能な通信能力を決定する。
【００２２】
なお、通信能力は、各通信端末が備えている能力・機能であって、例えば、音声の送受信を行う機能を備える場合は音声符号化方式（G.711、G.729等）、音声符号化方式で使用する符号化パラメータを、また、映像の送受信を行う機能を備える場合は映像符号化方式（MPEG-2、MPEG-4等）、映像符号化方式で使用する符号化パラメータ（画像サイズ：VGA、フレームレート：30fps、ビットレート：3Mbps等）を、音声および映像以外のメディア（資料共有、ファイル転送等）を備える場合は当該メディアを利用するために必要なパラメータ等を、相手通信端末との間で交換し、相手通信端末との間で使用可能な通信能力を決定する。
【００２３】
自端末能力管理部１２は、自通信端末が備える通信能力（通信パラメータ）を保持および管理するとともに、自通信端末の状態を管理する。相手端末能力管理部１３は、相手通信端末から取得した、当該相手通信端末が備える通信能力を保持および管理する。
【００２４】
呼制御部１４は、ＳＩＰなどの呼接続プロトコルを用いて相手通信端末に発呼し、相手端末との間で音声通話のためのセッションを開設（呼を確立）する。また、呼制御部１４は、他の通信端末から発信された呼を着信する。また、本実施形態の呼制御部１４は、能力交換を行うための能力交換セッションを相手端末との間で確立する。
【００２５】
能力交換部１５は、音声通話を開始した後に、能力交換セッションを利用して相手通信端末との間で通信能力の交換を行い、相手通信端末から取得した通信能力を相手端末能力管理部１３に登録する。メディア処理部１６は、音声通話（音声の送受信）を行うとともに、音声通話が開始された後、指定された通信能力で映像等のメディアの送受信を行う。
【００２６】
上記説明した各通信端末は、例えば、少なくともＣＰＵと、メモリと、ＨＤＤ等の外部記憶装置とを備えた汎用的なコンピュータシステムを用いることができる。このコンピュータシステムにおいて、ＣＰＵがメモリ上にロードされた所定のプログラムを実行することにより、通信端末の各機能が実現される。
【００２７】
図２は、通信端末の具体例を示したものである。図２（ａ）の通信端末は、テレビ電話であって、１つの端末（筐体）の中に音声通話の通信能力、映像送受信の通信能力がサポートされているオール・イン・ワン（all in one）型の通信端末である。このような通信端末の場合、サポートされる通信能力は、変更されることなく、固定である。
【００２８】
図２（ｂ）は、必要な通信能力（機能）を、複数の機器で実現する連携型の通信端末を示している。図示する例では、音声通話用の音声電話機と、映像送受信用および資料共有用のＰＣとが連携して１つの通信端末として機能する。このような連携型の通信端末の場合、サポートする通信能力は、連携する機器に応じて変わるため、固定されない。
【００２９】
次に、本実施形態のシステムの動作について説明する。
【００３０】
図３は、本実施形態の動作を示すシーケンス図である。本実施形態では、テレビ電話のようなマルチメディア通信を行う際に、まず、Ｅｎｄ−Ｅｎｄの通信端末間で音声のみの通話を開始する。その際に、詳細な能力交換を行うためのセッション（能力交換セッション）も同時に、Ｅｎｄ−Ｅｎｄの通信端末間で開設する。相手端末との間で能力交換セッションを開設できない場合は音声通話のみを行い、能力交換セッションを開設できた場合は音声通話開始後に、通信端末間でお互いの通信端末の通信能力およびその状態を交換することにより、利用可能な通信能力を決定する。そして、音声通話中の任意のタイミングで、利用可能な通信能力を追加し、また追加した通信能力を削除することができる。
【００３１】
図３では、映像および資料共有の通信能力を追加する場合の動作を示している。なお、通信端末Ａを発信端末とし、通信端末Ｂを着信端末とする。
【００３２】
発信端末Ａの呼制御部１４は、ＳＩＰおよびＳＤＰを用いて、通信能力として音声通話を指定して着信端末Ｂに対して発信・発呼する（Ｓ１１）。また、発信端末Ａの呼制御部１４は、能力交換セッション（ＴＣＰ（Transmission Control Protocol）コネクション）を開設する（Ｓ１２）。能力交換セッションの開設は、Ｓ１４からＳ１７で能力交換を行うために必要なＴＣＰコネクションを発信端末Ａと着信端末Ｂとの間で確立するために必要な情報のやり取りである。
【００３３】
Ｓ１１のＳＩＰ・ＳＤＰを用いた発呼により、発信端末Ａのメディア処理部１６と着信端末Ｂのメディア処理部１６との間で、音声通話が開始される（Ｓ１３）。
【００３４】
なお、Ｓ１２において能力交換セッションが開設できない場合、相手端末が音声以外の通信を行えない通信端末（音声電話機）であると判別し、Ｓ１４以降の処理は行わずに音声通話のみを行うものとする。これにより、無駄なトラフィックを削減することができる。
【００３５】
そして、能力交換セッションが開設できた場合、音声通話開始後に当該能力交換セッションを利用して、通信端末間でお互いの通信端末の通信能力および状態を交換する能力交換を行う（Ｓ１４）。
【００３６】
すなわち、発信端末Ａの能力交換部１５は、自端末能力管理部１２から自端末がサポートしている通信能力およびその状態を取得し、相手端末である着信端末Ｂに送信するとともに、着信端末Ｂから当該着信端末Ｂサポートしている通信能力およびその状態を受信し、相手端末能力管理部１３に記憶する。着信端末Ｂも同様に、自端末能力管理部１２に設定された自端末の通信能力および状態を発信端末Ａに送信するとともに、発信端末Ａから当該発信端末Ａの通信能力および状態を受信し、相手端末能力管理部１３に記憶する。
【００３７】
そして、発信端末Ａの能力決定部１１は、相手端末能力管理部１３に記憶された着信端末Ｂの通信能力および状態と、自端末能力管理部１２に記憶された発信端末Ａの通信能力および状態とを比較して、着信端末Ｂとの通信に使用可能な通信能力を決定する（Ｓ１５）。そして、能力決定部１１は、決定した使用可能な通信能力をユーザに提示する。
【００３８】
具体的には、能力決定部１１は、発信端末Ａの動作可能な状態の通信能力と、着信端末Ｂの動作可能な状態の通信能力との両方に含まれている通信能力を抽出し、抽出した通信能力を着信端末Ｂとの通信に使用可能な通信能力として決定する。
【００３９】
例えば、着信端末Ｂの通信能力が、映像符号化方式として「MPEG-4」が、映像符号化方式で使用する符号化パラメータとして「画像サイズ：VGA、フレームレート：30fps、ビットレート：3Mbps」が、音声および映像以外のメディアとして「資料共有」が設定されており、一方、発信端末Ａの通信能力が、映像符号化方式として「MPEG-4およびMPEG-2」が、映像符号化方式で使用する符号化パラメータとして「画像サイズ：VGA、フレームレート：30fps、ビットレート：3Mbps」が、音声および映像以外のメディアとして「資料共有」が設定されているものとする。
【００４０】
この場合、発信端末Ａの能力決定部１１は、映像符号化方式として「MPEG-4」を、映像符号化方式で使用する符号化パラメータとして「画像サイズ：VGA、フレームレート：30fps、ビットレート：3Mbps」を、音声および映像以外のメディアとして「資料共有」を決定する。
【００４１】
そして、発信端末Ａの能力決定部１１は、決定した使用可能な通信能力をディスプレイなどの出力表示に表示し、音声以外のメディアの追加指示をユーザから受け付ける。図示する例では、映像および資料共有の追加指示を受け付けるものとする。
【００４２】
これにより、発信端末Ａの能力決定部１１は、映像および資料共有の追加要求を着信端末Ｂに送信する（Ｓ１６）。着信端末Ｂの能力決定部１１は、映像メディアおよび資料共有の追加応答を発信端末Ａに送信する（Ｓ１７）。
【００４３】
Ｓ１４からＳ１７の能力交換セッションにより、発信端末Ａと着信端末Ｂとの間で、発信端末Ａ（ユーザ）が意図した通信能力が決定される。
【００４４】
そして、発信端末Ａの呼制御部１４は、ＳＩＰおよびＳＤＰを用いて、通信能力として音声の他に映像および資料共有を追加した追加要求（ＵＰＤＡＴＥ要求）を着信端末Ｂに送信する。着信端末Ｂの呼制御部１４は、Ｓ１６の追加要求に対してＯＫの応答を送信する（Ｓ１８）。これにより、音声通話だけでなく、追加した映像の送受信および資料共有が、発信端末Ａおよび着信端末Ｂとの間で行われる（Ｓ１９）。
【００４５】
なお、Ｓ１４からＳ１７の能力交換セッションは、例えば、発信端末Ａまたは着信端末Ｂが機器連携型の通信端末（図２（ｂ）参照）であって、連携される機器が変更するなどして、通信能力が変化する度に行われる。
【００４６】
図３で説明したように、本実施形態では、まず、音声通話により相手端末と確実に通信を開始し、音声通話開始後に、能力交換セッションを用いて詳細な能力交換を行ったうえで、ＳＩＰなどの呼制御プロトコルによる、呼（セッション）の変更要求を送信する。そのため、本実施形態では、発信後に発信端末と着信端末との間で通信能力が合わずに通信できないという事態の発生を防止し、意図した通信能力でより効率的な通信を行うことができる。
【００４７】
図４は、図３に示す動作のプロトコルを説明するためのシーケンス図である。
【００４８】
まず、発信端末Ａの呼制御部１４は、ＳＩＰなどの呼接続プロトコルを用いて、音声通話を指定して着信端末Ｂに発呼し、着信端末Ｂとの間で音声通話のためのセッションを開設（呼を確立）する（Ｓ１１）。具体的には、発信端末Ａの呼制御部１４は、通信能力として音声通話を指定したＩＮＶＩＴＥ要求を着信端末Ｂに送信し、着信端末Ｂの呼制御部１４は、それに対する応答（２００ＯＫ）を発信端末Ａに送信する。
【００４９】
そして、発信端末Ａの能力交換部１５は、詳細な能力交換を行うための能力交換セッションを着信端末Ｂとの間で開設する（Ｓ１２）。具体的には、図４に示すように、ＴＣＰコネクションを設定するのに必要な「ＳＹＮ」、「ＳＹＮ＋ＡＣＫ」、「ＡＣＫ」を送受信する。なお、能力交換セッションの開設に必要な情報（ＩＰアドレス、ポート番号など）は、Ｓ１１のＩＮＶＩＴＥ要求および２００ＯＫの「m=application」で送受信される。
【００５０】
Ｓ１１の呼接続により、発信端末Ａのメディア処理部１６と着信端末Ｂのメディア処理部１６は、音声通話を行う（Ｓ１３）。
【００５１】
そして、発信端末Ａの能力交換部１５と着信端末Ｂの能力交換部１５は、Ｓ１２で開設した能力交換セッション（ＴＣＰコネクション）を利用して、お互いの通信端末の能力および状態を交換する能力交換を行う（Ｓ１４）。
【００５２】
なお、図４では、図３で説明したＳ１５〜Ｓ１７の処理が省略されているが、能力交換セッション内で、使用可能な通信能力の決定（Ｓ１５）、決定した通信能力の追加要求（Ｓ１６）、追加要求に対する応答（Ｓ１７）が行われる。ここでは、図３と同様に、映像と資料共有の追加要求を行うものとする。
【００５３】
そして、発信端末Ａの呼制御部１４は、音声通話の他に追加要求された映像および資料共有の通信能力を指定して、Ｓ１１で接続した呼を更新する（Ｓ１８）。具体的には、発信端末Ａの呼制御部は、通信能力として音声通話、映像、資料共有を指定したＵＰＤＡＴＥ要求を着信端末Ｂに送信し、着信端末Ｂの呼制御部１４は、それに対する応答（２００ＯＫ）を発信端末Ａに送信する。
【００５４】
これにより、発信端末Ａのメディア処理部１６と着信端末Ｂおよびメディア処理部１６は、音声通話のほかに映像送受信および資料共有を行う（Ｓ１９）。
【００５５】
そして、Ｓ１９の通信が終了すると、呼を切断するために発信端末Ａの呼制御部１４はＢＹＥを送信し、着信端末Ｂの呼制御部１４はそれに対する応答（２００ＯＫ）を発信端末Ａに送信する（Ｓ２０）。
【００５６】
また、発信端末Ａの呼制御部１４および着信端末Ｂの呼制御部１４は、能力交換セッション（ＴＣＰコネクション）を切断するのに必要な「ＦＩＮ」、「ＡＣＫ＋ＦＩＮ」、「ＡＣＫ」を送受信する（Ｓ２１）。
【００５７】
以上説明した本実施形態では、通信を、音声を指定した音声呼から始めることにより、相手端末との間で確実に通信（音声通信）を開始することができる。また、相手端末との間で、能力交換セッションを開設することにより、音声通話中に、相手端末がサポートしている通信能力および状態を把握した上で、音声以外のメディアを確実に追加することができる。
【００５８】
すなわち、音声通話により相手端末と確実に通信を開始し、音声通話開始後に、能力交換セッションを用いて詳細な能力交換を行ったうえで、ＳＩＰなどの呼制御プロトコルによる呼（セッション）の変更要求を送信するため、本実施形態では、発信後に発信端末と着信端末との間で通信能力が合わずに通信できないという事態の発生を防止し、意図した通信能力でより効率的な通信を行うことができる。
【００５９】
また、本実施形態では、能力交換セッションをＥｎｄ−Ｅｎｄの端末間で直接開設することにより、ネットワーク（ＳＩＰサーバなど）の負荷を軽減することができる。
【００６０】
また、本実施形態では、通信端末が複数の機器を連携させた連携端末であって、通話中に連携する機器が変更され、通信能力が変更された場合であっても、能力交換セッションを用いてＥｎｄ−Ｅｎｄの端末間で能力交換を行い、変更後の通信能力に基づいて相手端末との通信に使用する通信能力を決定することができる。
【００６１】
なお、本発明は上記実施形態に限定されるものではなく、その要旨の範囲内で数々の変形が可能である。例えば、上記実施形態では、能力交換セッションとしてＴＣＰを用いて能力交換を行うこととしたが、これに限定されず、例えばＵＤＰ（User Datagram Protocol）を用いて能力交換を行うことしてもよい。
【符号の説明】
【００６２】
Ａ、Ｂ  通信端末
１１  能力決定部
１２  自端末能力管理部
１３  相手端末能力管理部
１４  呼制御部
１５  能力交換部
１６  メディア処理部
【図１】
2010258802.tif 000003
【図２】
2010258802.tif 000004
【図３】
2010258802.tif 000005
【図４】
2010258802.tif 000006